(57)【要約】【課題】住宅建物における雨漏れ防止構造を、従来の雨漏れ防止構造と対比してわかり易く説明することができる雨漏れ防止構造の比較解説装置を提供する。【解決手段】屋根部３，４が外壁材２の表面からそれぞれ隣接するように突設された状態で装置本体１０内に設けられてなり、これらの屋根部３，４および外壁材２の表面には、装置本体１０内に設けられたノズル１１から水が吹き付け可能となされて装置本体１０内に暴風雨を再現するようになされ、装置本体１０は、透視可能な前面窓１２および背面窓１２が設けられ、前面窓１２からは、外壁材２および屋根部３，４の表面に水が吹き付けられる暴風雨の様子が視認できるようになされるとともに、背面窓１２からは、この暴風雨によってそれぞれの屋根部３，４から外壁材２の裏面にしみ出す水の様子が視認できるようになされた雨漏れ防止構造の比較解説装置１である。【選択図】  図１
2007127850.tif 000002
【特許請求の範囲】
【請求項１】
異なった仕様の一対の屋根部が外壁材の表面からそれぞれ隣接するように突設された状態で装置本体内に設けられてなり、これらの屋根部および外壁材の表面には、装置本体内に設けられたノズルから水が吹き付け可能となされて暴風雨を再現するようになされ、装置本体は、透視可能な前面窓および背面窓が設けられ、前面窓からは、外壁材および屋根部の表面に水が吹き付けられる暴風雨の様子が視認できるようになされるとともに、背面窓からは、この暴風雨によって外壁材の裏面にしみ出す水の様子が視認できるようになされたことを特徴とする雨漏れ防止構造の比較解説装置。
【請求項２】
一方の屋根部は、屋根部下地表面に沿って防水が施され、他方の屋根部は、屋根部下地表面に沿って防水が施されるとともに、屋根部の端縁と、これに接する外壁材裏面との間に防水鋼板が設けられてなり、防水鋼板の有無による防水性の違いを比較できるようになされた請求項１記載の雨漏れ防止構造の比較解説装置。
【請求項３】
装置本体内の両側に立設された一対の配水管の間に、前面窓からの視界を遮ることの無い細いパイプが水平方向に延設され、このパイプに設けられたノズルから水を吹き付けるようになされた請求項１または２記載の雨漏れ防止構造の比較解説装置。
【発明の詳細な説明】
【技術分野】
【０００１】
本発明は、住宅建物における雨漏れ防止構造の違いをわかり易く説明するための比較解説装置に関するものである。
【背景技術】
【０００２】
従来より、住宅建物においては、台風などの暴風雨に対しても雨漏れしないように、数々の雨漏れ防止構造が施されている。
【０００３】
しかし、雨漏れ防止構造といっても、住宅建物の外観上は外壁、屋根などの何れを取って見ても略同じであるため、その性能の差異を実感することができない。
【０００４】
そこで、従来より、これらの雨漏れ防止構造は、住宅建物のカタログに紹介したり、展示住宅に訪れた購入予定者に、口頭で説明したりしていた。そして、この説明によって、従来の雨漏れ防止構造に対して、雨漏れ防止構造に優れた住宅建物とはどのようなものであるのかを理解してもらっていた。
【発明の開示】
【発明が解決しようとする課題】
【０００５】
しかし、雨漏れ防止構造に関して専門知識の無い者がカタログのみで説明することは難しく、展示住宅に訪れた購入予定者に対しても充分に説明することができない。
【０００６】
また、住宅購入予定者も雨漏れ防止構造に関して専門知識の無い場合がほとんどであるため、専門知識のある者から説明を受けても充分に理解することができない。
【０００７】
特に、住宅建物の二階の下屋部は、雨漏れが発生し易いとされるが、どのような理由で雨漏れが発生し易いのかを説明したり、理解したりすることが難しい。
【０００８】
本発明は、係る実情に鑑みてなされたものであって、住宅建物における雨漏れ防止構造を、従来の雨漏れ防止構造と対比してわかり易く説明することができる雨漏れ防止構造の比較解説装置を提供することを目的としている。
【課題を解決するための手段】
【０００９】
上記課題を解決するための本発明の雨漏れ防止構造の比較解説装置は、異なった仕様の一対の屋根部が外壁材の表面からそれぞれ隣接するように突設された状態で装置本体内に設けられてなり、これらの屋根部および外壁材の表面には、装置本体内に設けられたノズルから水が吹き付け可能となされて装置本体内に暴風雨を再現するようになされ、装置本体は、透視可能な前面窓および背面窓が設けられ、前面窓からは、外壁材および屋根部の表面に水が吹き付けられる暴風雨の様子が視認できるようになされるとともに、背面窓からは、この暴風雨によってそれぞれの屋根部から外壁材の裏面にしみ出す水の様子が視認できるようになされたものである。
【００１０】
また、上記課題を解決するための本発明の雨漏れ防止構造の比較解説装置は、上記比較解説装置において、一方の屋根部は、屋根部下地表面に沿って防水が施され、他方の屋根部は、屋根部下地表面に沿って防水が施されるとともに、屋根部の端縁と、これに接する外壁材裏面との間に防水鋼板が設けられてなり、防水鋼板の有無による防水性の違いを比較できるようになされたものである。
【００１１】
さらに、上記課題を解決するための本発明の雨漏れ防止構造の比較解説装置は、上記比較解説装置において、装置本体内の両側に立設された一対の配水管の間に、前面窓からの視界を遮ることの無い細いパイプが水平方向に延設され、このパイプに設けられたノズルから水を吹き付けるようになされたものである。
【発明の効果】
【００１２】
以上述べたように、本発明によれば、住宅建物における雨漏れ防止構造による効果やその重要性を、わかり易く説明することができる。また、見学者は容易に理解することができる。
【発明を実施するための最良の形態】
【００１３】
以下、本発明の実施の形態を図面を参照して説明する。
【００１４】
図１ないし図３は、雨漏れ防止構造の比較解説装置１の全体構成の概略を示し、図４は同比較解説装置１の要部を示している。
【００１５】
すなわち、この比較解説装置１は、外壁材２の表面から異なった仕様の一対の屋根部３，４がそれぞれ隣接するように突設された状態で装置本体１０内に設けられてなり、これらの屋根部３，４および外壁材２の表面には、装置本体１０内に設けられたノズル１１から水が吹き付け可能となされている。
【００１６】
装置本体１０は、幅約３ｍ、奥行き約２ｍ、高さ約３ｍに形成され、住宅展示棟（図示省略）内に設置可能となされている。この装置本体１０の前面１０ａと背面１０ｂとには、幅約１８００ｍｍ、高さ約１７００ｍｍに形成された開閉可能な窓部１２がそれぞれ設けられている。
【００１７】
装置本体１０の前面１０ａの窓部１２を入った所の両側には高圧ポンプ５からの水が供給される配水管５１がそれぞれ設けられている。これらの配水管５１の間には、装置本体１０の前面１０ａの窓部１２から装置本体１０内を覗き込んだ時に視界を遮って目障りにならないように細く形成されたパイプ５２が水平方向に延設されている。このパイプ５２は、前面１０ａの窓部１２の高さ方向の略中央の位置で水平方向に延設されており、装置本体１０内において、背面１０ｂ側に向かって水を噴射するとこができるようにノズル１１が設けられている。
【００１８】
装置本体１０の底面１０ｃには、ノズル１１から噴射される水を回収する溝１３が設けられている。また、装置本体１０には、装置本体１０内の空気を天井面１０ｄから強制排気する換気装置１４が設けられている。
【００１９】
外壁材２は、裏面が下地板２０で補強され、装置本体１０の背面１０ｂの窓部１２を入った位置に設けた柱２１に、外壁材２の表面が装置本体１０の前面１０ａの窓部１２を向くように固定される。この外壁材２および下地板２０は、屋根部３，４の位置が切り欠かれ、本来なら外壁材２の外壁下地（図示省略）に接することとなる屋根部３，４の端面の納まりが、背面１０ｂの窓部１２から視認できるようになされている。
【００２０】
また、外壁材２の表面両側には、下屋３０，４０の一部がそれぞれ突設するように設けられている。
【００２１】
屋根部３，４は、下屋３０，４０の屋根として、それぞれ装置本体１０内の中央に向けて下り勾配となるように設けられている。
【００２２】
このうち、一方の屋根部３は、図５に示すように、垂木３１上に、下地板３２、アスファルトルーフィング３３を設け、アスファルトルーフィング３３上に固定した瓦桟３４に瓦３５を固定しながら、このアスファルトルーフィング３３と瓦３５との間隙をしっくい３６で埋めて形成されている。また、鼻隠し３７の表面には防水の板金３８が設けられている。
【００２３】
アスファルトルーフィング３３の外壁材２側の端縁は、外壁材２寄りに設けられる添木３９によって外壁下地（図示省略）の表面に押さえ込むようにして納められている。
【００２４】
この一方の屋根部３は、暴風雨が発生した場合、アスファルトルーフィング３３や板金３８を伝って外壁材２の外壁下地（図示省略）の表面へと雨水が漏れることとなる。
【００２５】
他方の屋根部４は、図６に示すように、垂木４１上に、下地板４２、アスファルトルーフィング４３を設け、アスファルトルーフィング４３上に固定した瓦桟４４に瓦４５を固定して形成されている。また、鼻隠し４７の表面には、防水の板金４８が設けられている。
【００２６】
外壁材２の外壁下地（図示省略）と垂木４１との間には、防水鋼板４９が設けられている。この防水鋼板４９は、下地板４２の表面に接続代４９ａが延設するようになされており、この接続代４９ａに重ね合わせるようにして、アスファルトルーフィング４３の外壁材２側の端縁が接着される。また、外壁材２の外壁下地（図示省略）と鼻隠し４７との間にも、防水鋼板４９が設けられている。この防水鋼板４９は、鼻隠し４７の表面に接続代４８ａが延設するようになされており、この接続代４９ａに重ね合わせるようにして、板金４８の外壁材２側の端縁が接着される。
【００２７】
この他方の屋根部４は、暴風雨が発生した場合、アスファルトルーフィング４３や板金４８を伝って外壁材２の外壁下地（図示省略）へと雨水が漏れることも無く、防水鋼板４９によって確実に防水されることとなる。
【００２８】
次に、このようにして構成される雨漏れ防止構造の比較解説装置１によって、住宅購入予定の見学者に解説を行う方法について説明する。
【００２９】
まず、案内員は、装置本体１０の正面に見学者を案内し、装置本体１０内に暴風雨の状況を再現する。この様子は、装置本体１０の前面１０ａの窓部１２から、それぞれ見学者に見学してもらう。
【００３０】
その後、装置本体１０の背面１０ｂへと移動し、この背面１０ｂの窓１２から、それぞれの屋根部３，４の様子を見学してもらう。この際、一方の屋根部３は、雨水が漏れ出し、他方の屋根部４は雨水が漏れることなく確実に防水されていることが視認できるので、見学する見学者に対して屋根部３，４の違いを容易に説明することができる。
【００３１】
このように、この雨漏れ防止構造の比較解説装置１によると、案内員は、屋根部３，４の構造の違いによる雨漏れの状況の違いや、台風などによる暴風雨に備えることの重要性を、実際に再現した屋根部３，４を使ってわかり易く解説することができる。同時に、購入予定の見学者は、容易に理解することができることとなる。
【００３２】
なお、本実施の形態において、屋根部３，４は、一例であって、比較しようとする異なった２種類の屋根部３，４であれば、特にこのような屋根部３，４に限定されるものではない。また、屋根部３，４の部位についても、二階の下屋部となされているが、特にこのような二階の下屋部に限定されるものではない。
【産業上の利用可能性】
【００３３】
住宅建物の販売促進を図る装置として利用できる。
【図面の簡単な説明】
【００３４】
【図１】本発明に係る雨漏れ防止構造の比較解説装置の要部構成の概略を示す正面図である。
【図２】本発明に係る雨漏れ防止構造の比較解説装置の要部構成の概略を示す側面図である。
【図３】本発明に係る雨漏れ防止構造の比較解説装置の要部構成の概略を示す水平断面図である。
【図４】本発明に係る雨漏れ防止構造の比較解説装置の背面窓部から見た図である。
【図５】本発明に係る雨漏れ防止構造の比較解説装置の一方の屋根部の構成を説明する部分破断斜視図である。
【図６】本発明に係る雨漏れ防止構造の比較解説装置の他方の屋根部の構成を説明する部分破断斜視図である。
【符号の説明】
【００３５】
１  雨漏れ防止構造の比較解説装置
１０  装置本体
１１  ノズル
１２  窓部
２  外壁材
３  屋根部
４  屋根部
４９  防水鋼板
５１  配水管
５２  パイプ
【図１】
2007127850.tif 000003
【図２】
2007127850.tif 000004
【図３】
2007127850.tif 000005
【図４】
2007127850.tif 000006
【図５】
2007127850.tif 000007
【図６】
2007127850.tif 000008